【手続補正書】
【提出日】平成18年11月21日(2006.11.21)
【手続補正１】
【補正対象書類名】明細書
【補正対象項目名】特許請求の範囲
【補正方法】変更
【補正の内容】
【特許請求の範囲】
【請求項１】
複数の光源ユニットと、回転多面鏡を有して前記複数の光源ユニットから出射される光線を該回転多面鏡のそれぞれ異なる反射面で反射偏向する偏向手段と、前記偏向手段により反射偏向された光線を所定面上に結像走査する結像光学系と、を有する走査光学系を少なくとも１つと、
前記複数の光源ユニット，前記偏向手段及び前記結像光学系を収容する光学箱と、
を備えた走査光学装置において、
前記複数の光源ユニットは、１つの固定部材によって前記光学箱に固定される
ことを特徴とする走査光学装置。
【請求項２】
前記固定部材とは、前記光源ユニットを前記光学箱に付勢する弾性部を備えることを特徴とする請求項１に記載の走査光学装置。
【請求項３】
前記光学箱には、前記走査光学系の取り付け基準となる基準面に略垂直に突出して設けられて該基準面と略平行方向において前記光源ユニットの位置決めとなるリブと、該基準面の略垂直方向において前記光源ユニットの位置決め保持を行う座面と、が設けられ、
前記弾性部は、前記光源ユニットを前記リブ及び前記座面方向に付勢することを特徴とする請求項２に記載の走査光学装置。
【請求項４】
前記複数の光源ユニットのうち１つの光源ユニットを保持するＶ溝が、前記Ｖ溝に保持された光源ユニットの光軸が平行となるように前記光学箱に複数設けられ、前記Ｖ溝に保持された光源ユニットは、前記弾性部により前記Ｖ溝内に付勢されることを特徴とする請求項２に記載の走査光学装置。
【請求項５】
前記弾性部は、前記複数の光源ユニット各々に対して、複数の点で当接することを特徴とする請求項２乃至４のいずれか１項に記載の走査光学装置。
【請求項６】
前記複数の光源ユニット各々は、前記光学箱に対し複数の点で当接し、その当接する位置は、前記弾性部に当接する位置と光軸方向において一致していることを特徴とする請求項２乃至５のいずれか１項に記載の走査光学装置。
【請求項７】
前記複数の光源ユニットは、光軸に略垂直なフランジ部をそれぞれ有し、前記光学箱に設けられた嵌合部に該フランジ部が嵌合することによって、前記光学箱に対する光軸方向の位置決めが行われることを特徴とする請求項１乃至６のいずれか１項に記載の走査光学装置。
【請求項８】
前記光源ユニットは、複数の発光点を有し、前記光学箱に対しては、光軸まわりに回転調整されて固定されることを特徴とする請求項１乃至７のいずれか１項に記載の走査光学装置。
【請求項９】
前記光源ユニットと前記光学箱とが当接する部分に固体潤滑層を設けることを特徴とする請求項８に記載の走査光学装置。
【請求項１０】
前記固定部材によって前記光学箱に固定される前記光源ユニットは、接着によっても前記光学箱に対して固定されることを特徴とする請求項１乃至９のいずれか１項に記載の走査光学装置。
【請求項１１】
前記弾性部とは、バネであることを特徴とする請求項２乃至６のいずれか１項に記載の走査光学装置。
【請求項１２】
複数の光源と、回転多面鏡を有して前記複数の光源から出射される光線を該回転多面鏡のそれぞれ異なる反射面で反射偏向する偏向手段と、前記偏向手段により反射偏向された光線を所定面上に結像走査する結像光学系と、を有する走査光学系を少なくとも１つと、
前記複数の光源ユニット，前記偏向手段及び前記結像光学系を収容する光学箱と、
を備えた走査光学装置において、
１つの前記偏向手段に対して出射する前記複数の光源は、１つの保持部材により保持されて１つの光源ユニットを構成し、前記光源ユニットは１つの固定部材によって前記光学箱に固定される
ことを特徴とする走査光学装置。
【請求項１３】
請求項１乃至１２のいずれか１項に記載の走査光学装置を備え、前記走査光学装置から出射された光線を、前記走査光学系に対応する像担持体の表面上に照射して該像担持体を走査し、該像担持体上に形成された静電潜像を現像して得られたトナー画像を転写材に転写して転写材上に画像を形成する
ことを特徴とする画像形成装置。
【手続補正２】
【補正対象書類名】明細書
【補正対象項目名】０００３
【補正方法】変更
【補正の内容】
【０００３】
半導体レーザとコリメートレンズおよびレーザ駆動回路等より成るレーザユニット１３０より取り出されたコリメート光は回転するポリゴンミラー１３１により反射偏向走査されながら、順次に走査レンズ１３２、折り返しミラー１３３等を通過して最終的には感光体ドラム表面（図示せず）に到達する。またここでレーザユニット１３０は光源装置と呼び替えてもよい。
【手続補正３】
【補正対象書類名】明細書
【補正対象項目名】０００４
【補正方法】変更
【補正の内容】
【０００４】
また、コリメート光は書き込みドラム幅内で最適に絞り込んだビームとして走査されるように走査レンズ１３２により成形されると共に、書き込みの同期検知を行って書き込み位置ずれを防止する為に走査ビームの一部はＢＤミラー１３４で反射されＢＤユニット１３５により光検知する作用も成されている。
【手続補正４】
【補正対象書類名】明細書
【補正対象項目名】０００５
【補正方法】変更
【補正の内容】
【０００５】
ＢＤユニット１３５は内部に光検出素子（図示せず）を具備している。
【手続補正５】
【補正対象書類名】明細書
【補正対象項目名】０００６
【補正方法】変更
【補正の内容】
【０００６】
また、ポリゴン面の傾き誤差による感光体上のビームの上下方向（副走査方向）の位置ずれを防止するため一般にはシリンダレンズ１３７を用いて、レーザから取り出されたビームをポリゴン面上では副走査方向に圧縮して結像した線像とすると共にポリゴン面と感光体面上は副走査方向では共役関係とする構成がとられる。
【手続補正６】
【補正対象書類名】明細書
【補正対象項目名】０００７
【補正方法】変更
【補正の内容】
【０００７】
更に、それら構成部材は光学箱１３６’に取り付ける際には基準ピンなども用いながら寸法公差内に入るよう工夫されている。
【手続補正７】
【補正対象書類名】明細書
【補正対象項目名】０００８
【補正方法】変更
【補正の内容】
【０００８】
これらの構成の中でレーザユニット１３０は図１２に示すように内部にコリメートレンズ１３８や半導体レーザ１３９が配置されており光軸合わせやピント調整されて組み付け
られている。
【手続補正８】
【補正対象書類名】明細書
【補正対象項目名】０００９
【補正方法】変更
【補正の内容】
【０００９】
更に、半導体レーザ１３９の内部には端面発光型のレーザチップ１４０からのレーザ光Ｌが窓１４１を通してコリメートレンズ１３８側に取り出されてコリメートされたレーザビームＬｃとなる。
【手続補正９】
【補正対象書類名】明細書
【補正対象項目名】００１０
【補正方法】変更
【補正の内容】
【００１０】
一方、レーザチップ１４０からの背面レーザ光Ｌ’はパッケージに内蔵したフォトダイオード１４２により検出され、光量を一定に保ついわゆるＡＰＣ動作に利用される。
【手続補正１０】
【補正対象書類名】明細書
【補正対象項目名】００１６
【補正方法】変更
【補正の内容】
【００１６】
【課題を解決するための手段】
上記目的を達成するために本発明にあっては、複数の光源ユニットと、回転多面鏡を有して前記複数の光源ユニットから出射される光線を該回転多面鏡のそれぞれ異なる反射面で反射偏向する偏向手段と、前記偏向手段により反射偏向された光線を所定面上に結像走査する結像光学系と、を有する走査光学系を少なくとも１つと、前記複数の光源ユニット，前記偏向手段及び前記結像光学系を収容する光学箱と、を備えた走査光学装置において、前記複数の光源ユニットは、１つの固定部材によって前記光学箱に固定されることを特徴とする。
【手続補正１１】
【補正対象書類名】明細書
【補正対象項目名】００１９
【補正方法】変更
【補正の内容】
【００１９】
前記複数の光源ユニットのうち１つの光源ユニットを保持するＶ溝が、前記Ｖ溝に保持された光源ユニットの光軸が平行となるように前記光学箱に複数設けられ、
前記Ｖ溝に保持された光源ユニットは、前記弾性部により前記Ｖ溝内に付勢されることも好適である。
【手続補正１２】
【補正対象書類名】明細書
【補正対象項目名】００２１
【補正方法】変更
【補正の内容】
【００２１】
前記複数の光源ユニット各々は、前記光学箱に対し複数の点で当接し、その当接する位置は、前記弾性部に当接する位置と光軸方向において一致していることも好適である。
【手続補正１３】
【補正対象書類名】明細書
【補正対象項目名】００２２
【補正方法】変更
【補正の内容】
【００２２】
前記複数の光源ユニットは、光軸に略垂直なフランジ部をそれぞれ有し、前記光学箱に設けられた嵌合部に該フランジ部が嵌合することによって、前記光学箱に対する光軸方向の位置決めが行われることも好適である。
【手続補正１４】
【補正対象書類名】明細書
【補正対象項目名】００２３
【補正方法】変更
【補正の内容】
【００２３】
前記光源ユニットは、複数の発光点を有し、前記光学箱に対しては、光軸まわりに回転調整されて固定されることも好適である。
【手続補正１５】
【補正対象書類名】明細書
【補正対象項目名】００２４
【補正方法】変更
【補正の内容】
【００２４】
前記光源ユニットと前記光学箱とが当接する部分に固体潤滑層を設けることも好適である。
【手続補正１６】
【補正対象書類名】明細書
【補正対象項目名】００２７
【補正方法】変更
【補正の内容】
【００２７】
複数の光源と、回転多面鏡を有して前記複数の光源から出射される光線を該回転多面鏡
のそれぞれ異なる反射面で反射偏向する偏向手段と、前記偏向手段により反射偏向された光線を所定面上に結像走査する結像光学系と、を有する走査光学系を少なくとも１つと、前記複数の光源ユニット，前記偏向手段及び前記結像光学系を収容する光学箱と、を備えた走査光学装置において、１つの前記偏向手段に対して出射する前記複数の光源は、１つの保持部材により保持されて１つの光源ユニットを構成し、前記光源ユニットは１つの固定部材によって前記光学箱に固定されることを特徴とする。
【手続補正１７】
【補正対象書類名】明細書
【補正対象項目名】００２８
【補正方法】変更
【補正の内容】
【００２８】
画像形成装置にあっては、上記記載の走査光学装置を備え、前記走査光学装置から出射された光線を、前記走査光学系に対応する像担持体の表面上に照射して該像担持体を走査し、該像担持体上に形成された静電潜像を現像して得られたトナー画像を転写材に転写して転写材上に画像を形成することを特徴とする。
【手続補正１８】
【補正対象書類名】明細書
【補正対象項目名】００２９
【補正方法】変更
【補正の内容】
【００２９】
【発明の実施の形態】
以下に図面を参照して、この発明の好適な実施の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【手続補正１９】
【補正対象書類名】明細書
【補正対象項目名】００３１
【補正方法】変更
【補正の内容】
【００３１】
本実施の形態においては、画像情報に基づいて各々光変調された各ビームＬＣ，ＬＭ，ＬＹ，ＬＢＫが各々の光学箱３６から出射し、各々対応する、所定面として像担持体としての感光ドラム４６Ｃ，４６Ｍ，４６Ｙ，４６ＢＫ面上を照射して静電潜像を形成する。
【手続補正２０】
【補正対象書類名】明細書
【補正対象項目名】００８２
【補正方法】変更
【補正の内容】
【００８２】
また、フランジ４ａは光学箱３６において精度良く成形された２つの精度面の間の溝３６ｂ（嵌合部）に嵌合することによって、レーザユニット３０が光軸方向に位置決めされている。
【手続補正２１】
【補正対象書類名】明細書
【補正対象項目名】００８４
【補正方法】変更
【補正の内容】
【００８４】
さらに、１つのレーザユニット３０につき複数のビームを出射しそれらが同一の感光体を走査するマルチビーム走査方式では、レーザユニット３０自体を光軸まわりに回転させ、レーザユニット３０内の複数の発光点を傾ける方式が知られているが、そのような場合にも、光学箱３６の溝３６ｂに沿ってレーザユニット３０を光軸まわりに容易に回転させることができ、その際に、光軸方向にレーザユニット３０の位置がずれることはないので安定して回転させることができる。
【手続補正２２】
【補正対象書類名】明細書
【補正対象項目名】００９７
【補正方法】変更
【補正の内容】
【００９７】
本実施の形態では、図１０に示すように、２つの半導体レーザ３９及び２つのコリメータ鏡筒５及び２つのコリメータレンズ３８を保持するレーザホルダ４Ａ（保持部材）を１つとし、レーザホルダ４Ａを１つの固定部材３Ｂにより固定している。
【手続補正２３】
【補正対象書類名】図面
【補正対象項目名】図１１
【補正方法】変更
【補正の内容】
【図１１】
2004037836.tif 000001
【手続補正２４】
【補正対象書類名】図面
【補正対象項目名】図１２
【補正方法】変更
【補正の内容】
【図１２】
2004037836.tif 000002